【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
純粋な染料を用いて実験用計器を正常化するための方法であって、前記方法は、
少なくとも１つの基準計器と、テスト計器とを提供することであって、各計器は、対で構成されている、少なくとも１つの励起フィルタと、少なくとも１つの発光フィルタとを含む、ことと、
複数の純粋な染料を提供することであって、各染料は、蛍光成分を含み、複数のウェルを含む純粋な染料プレート内に含まれている、ことと、
複数のフィルタ組合せに渡る複数の純粋な染料に関して、前記基準計器および前記テスト計器から蛍光スペクトルを生成することと、
前記基準計器に関する純粋な染料のマトリクス（Ｍｒｅｆ）、および前記テスト計器に関する純粋な染料のマトリクス（Ｍ）を作成することと、
フィルタの対ごとに補正係数を計算し、前記補正係数を前記純粋な染料スペクトルで乗算することと、
前記補正された純粋な染料のスペクトルを正常化することと、
多成分データを生成することと
を含む、方法。
【請求項２】
前記テスト計器および前記基準計器からの前記蛍光スペクトルは、それぞれ、１の最大値に正常化される、請求項１に記載の方法。
【請求項３】
各純粋な染料のマトリクスは、複数のウェルに渡って平均を出される正常化されたスペクトルを含む、請求項２に記載の方法。
【請求項４】
染料のマトリクスＭは、一連の調整係数で乗算され、染料のマトリクスＭｒｅｆと比較される、請求項１に記載の方法。
【請求項５】
マトリクスＭとマトリクスＭｒｅｆとの間の差が最小になるまで、前記調整係数は、繰り返し修正される、請求項４に記載の方法。
【請求項６】
前記調整係数は、０と１の間で繰り返し修正される、請求項４に記載の方法。
【請求項７】
フィルタの対ごとの前記補正係数は、発光フィルタ係数と励起フィルタ係数の積である、請求項１に記載の方法。
【請求項８】
前記補正された純粋な染料のスペクトルは、１の最大値に正常化される、請求項１に記載の方法。
【請求項９】
前記多成分のデータは、蛍光データと染料のマトリクスＭの擬似逆の積である、請求項１に記載の方法。
【請求項１０】
純粋な染料を用いて実験用計器を正常化するためのシステムであって、前記システムは、
純粋な染料基準マトリクス（Ｍｒｅｆ）と、
複数の計器であって、それぞれは、
複数のフィルタの対と、
少なくとも１つの純粋な染料プレートと
を備える、複数の計器と、
前記複数の計器と通信するコンピュータシステムであって、前記コンピュータシステムは、
少なくとも１つのプロセッサと、
前記プロセッサによって実行可能である純粋な染料の正常化のための命令を含む少なくとも１つのコンピュータ可読媒体であって、前記命令は、
フィルタの対ごとに補正係数を計算することと、
前記補正係数を純粋な染料スペクトルで乗算することと、
前記補正された純粋な染料のスペクトルを正常化することと
を含む処理を行う、少なくとも１つのコンピュータ可読媒体と
を備える、コンピュータシステムと
を備える、システム。
【請求項１１】
前記フィルタの対は、それぞれ、励起フィルタおよび発光フィルタを含む、請求項１０に記載のシステム。
【請求項１２】
前記純粋な染料プレートは、複数のサンプルウェルを含むサンプルプレート内に含まれる少なくとも１つの蛍光性の純粋な染料を含む、請求項１０に記載のシステム。
【請求項１３】
前記プロセッサによって実行可能である純粋な染料の正常化のための前記命令は、テストスペクトルのマトリクスＭを生成するよう設計された命令を含む、請求項１０に記載のシステム。
【請求項１４】
マトリクスＭｒｅｆとマトリクスＭは、正常化され、かつ平均を出される、スペクトルを含む、請求項１３に記載のシステム。
【請求項１５】
前記プロセッサによって実行可能である純粋な染料の正常化のための前記命令は、マトリクスＭとマトリクスＭｒｅｆとの間の差が最小になるまでにマトリクスＭを繰り返し調整するよう設計された命令をさらに含む、請求項１３に記載のシステム。
【請求項１６】
前記プロセッサによって実行可能である純粋な染料の正常化のための前記命令は、フィルタの対ごとの補正係数に基づいてマトリクスＭを修正するよう設計された命令をさらに含む、請求項１５に記載のシステム。
【手続補正２】
【補正対象書類名】明細書
【補正対象項目名】００１５
【補正方法】変更
【補正の内容】
【００１５】
他の実施形態では、フィルタの対ごとの補正係数に基づいてマトリクスＭを修正するよう設計された命令をこのプロセッサがさらに実行する。
本願明細書は、例えば、以下の項目も提供する。
（項目１）
純粋な染料を用いて実験用計器を正常化する方法であって、
少なくとも１つの基準計器と、テスト計器とを提供するステップであって、各計器が、対で構成される、少なくとも１つの励起フィルタと、少なくとも１つの発光フィルタとを含む、ステップと、
複数の純粋な染料を提供するステップであって、各染料が、蛍光成分を含み、複数のウェルを含む純粋な染料のプレート内に含まれる、ステップと、
複数のフィルタ組合せに渡る複数の純粋な染料に関して、前記基準計器および前記テスト計器から蛍光スペクトルを生成するステップと、
前記基準計器に関する純粋な染料のマトリクスＭｒｅｆ、および前記テスト計器に関する純粋な染料のマトリクスＭを作成するステップと、
前記調整係数のフィルタの対ごとに補正係数を計算し、前記補正係数を前記純粋な染料スペクトルで乗算するステップと、
前記補正される純粋な染料のスペクトルを正常化するステップと、
多成分データを生成するステップと、を含む方法。
（項目２）
前記テスト計器および前記基準計器からの前記蛍光スペクトルが、それぞれ１の最大値に正常化される、項目１に記載の方法。
（項目３）
各純粋な染料のマトリクスには、複数のウェルに渡って平均を出される正常化されたスペクトルが含まれる、項目１および２に記載の方法。
（項目４）
染料のマトリクスＭが、一連の調整係数で乗算され、染料のマトリクスＭｒｅｆと比較される、項目１に記載の方法。
（項目５）
マトリクスＭとマトリクスＭｒｅｆの間の差が最小になるまで、前記調整係数が繰り返し修正される、項目１および４に記載の方法。
（項目６）
前記調整係数が、０と１の間で繰り返し修正される、項目１および４に記載の方法。
（項目７）
フィルタの対ごとの前記補正係数が、発光フィルタ係数と励起フィルタ係数の積である、項目１に記載の方法。
（項目８）
前記補正される純粋な染料のスペクトルが、１の最大値に正常化される、項目１に記載の方法。
（項目９）
前記多成分のデータが、前記蛍光データと染料のマトリクスＭの擬似逆の積である、項目１に記載の方法。
（項目１０）
純粋な染料を用いて実験用計器を正常化するシステムであって、
純粋な染料基準マトリクスＭｒｅｆと、
テスト計器であって、それぞれが、
複数のフィルタの対と、
少なくとも１つの純粋な染料プレートと、を含むテスト計器と、
少なくとも１つのプロセッサを含む前記テスト計器と通信するコンピュータシステムと、
前記プロセッサにより実行される純粋な染料の正常化を行うための命令を含む少なくとも１つのコンピュータ可読媒体と、を含むシステム。
（項目１１）
前記フィルタの対が、それぞれ励起フィルタおよび発光フィルタを含む、項目１０に記載のシステム。
（項目１２）
前記純粋な染料プレートには、複数のサンプルウェルを含むサンプルプレート内に含まれる少なくとも１つの蛍光性の純粋な染料が含まれる、項目１０に記載のシステム。
（項目１３）
前記プロセッサが、テストスペクトルのマトリクスＭを生成するよう設計される命令を実行する、項目１０に記載のシステム。
（項目１４）
マトリクスＭｒｅｆとマトリクスＭには、正常化され、平均を出されるスペクトルが含まれる、項目１０および１３に記載のシステム。
（項目１５）
マトリクスＭとマトリクスＭｒｅｆの間の差が最小になるまで、前記プロセッサがマトリクスＭを繰り返し調整するよう設計される命令をさらに実行する、項目１０および１３に記載のシステム。
（項目１６）
前記プロセッサが、フィルタの対ごとの補正係数に基づいて、マトリクスＭを修正するよう設計される命令をさらに実行する、項目１５に記載のシステム。